(57)【要約】【課題】パネル材の縦辺に沿ったガスケット内部に浸入した水が下辺に沿ったガスケットに流れ込まず、ガスケット内部から即座に排出することができるガスケット、およびこれを備えた障子を提供すること。【解決手段】パネル材６の縦辺に沿ったガスケット１３の下端縁１３４が障子１の外周側に向かって下がる傾斜を有しているので、縦辺ガスケット１３内に水が浸入した場合でも、この水は下端縁１３４の傾斜に沿って外側に流れる。さらに、下辺に沿ったガスケット１２の側端縁１２３が縦辺のガスケット本体部１４の下方に重ならない位置に設けられているので、縦辺ガスケット１３内を流れ落ちてきた水が下辺のガスケット本体部１４内に浸入することがない。従って、縦辺ガスケット１３内部に浸入した水が下辺ガスケット１２内に流れ込まず、この水を即座にガスケット１０外部に排出することができる。【選択図】  図３
2005030037.tif 000002
【特許請求の範囲】
【請求項１】
障子を構成する枠体とパネル材との間に介装され、前記パネル材の四周を囲んで配置されるとともに、前記枠体に装着されるガスケットであって、
前記パネル材の縁部を受け入れ自在な凹溝部を形成する断面略コ字形のガスケット本体部と、
前記ガスケット本体部の開口端部に沿って取り付けられ、前記パネル材の表裏面に密接して当該パネル材を保持する一対のパネル保持部とを備え、
前記パネル材の縦辺および下辺に沿った当該ガスケットの接続位置において、
縦辺および下辺に沿った前記パネル保持部は、互いの端縁同士を突き合わせて設けられ、
縦辺に沿った前記ガスケット本体部の下端縁は、前記開口端部から前記障子の外周側に向かって下がる傾斜部を有して形成され、下辺に沿った前記ガスケット本体部の側端縁は、前記縦辺に沿ったガスケット本体部における開口端部の延長上から外側に突出しない位置に設けられているガスケット。
【請求項２】
前記ガスケット本体部は、硬質な樹脂材料から形成され、前記パネル保持部は、軟質な樹脂材料から形成されており、
前記ガスケット本体部と前記パネル保持部とは、溶着により一体に形成されている請求項１に記載のガスケット。
【請求項３】
前記縦辺に沿ったガスケット本体部の下端縁における前記傾斜部は、前記パネル保持部の端縁同士の突き合わせ部分に連続して設けられ、
前記下辺に沿ったガスケット本体部における側端縁の上端部は、前記突き合わせ部分に接して設けられている請求項１または請求項２に記載のガスケット。
【請求項４】
前記ガスケット本体部の底面部には排水穴が形成されており、前記パネル材の下辺に沿ったガスケット本体部の底面部に形成された排水穴は、前記パネル材の上辺または縦辺に沿ったガスケット本体部の底面部に形成された排水穴よりも、開口面積が大きく設定されている請求項１から請求項３のいずれかに記載のガスケット。
【請求項５】
上框、下框、および左右の縦框を四周框組して形成された枠体と、この枠体の内側に支持されるパネル材と、これらの枠体とパネル材との間に介装される請求項１から請求項４のいずれかに記載のガスケットとを備えて構成された障子。
【請求項６】
前記下框には、当該下框の内部を上下に仕切る支持面部が設けられ、この支持面部の上側に前記パネル材、および当該パネル材の下辺に沿った前記ガスケットが配置され、
前記支持面部には、前記パネル材の縦辺に沿った前記ガスケットの下方位置に排水穴が形成されている請求項５に記載の障子。
【発明の詳細な説明】
【０００１】
【発明の属する技術分野】
本発明は、ガスケット、およびこれを備えた障子に関する。詳しくは、障子を構成する枠体とパネル材との間に介装され、パネル材の四周を囲んで配置されるとともに、枠体に係止されるガスケットに関する。
【０００２】
【背景技術】
従来より、複層ガラスや合せガラス等のガラスパネルと枠体との間に介装され、ガラスパネルの四周を保持するとともに、ガラスパネルに密接することでシール性を有したガスケットが提案されている（例えば、特許文献１参照）。
特許文献１に記載のガスケット（板ガラス体保持部材）は、断面略コ字形で硬質な樹脂製の部材本体と、この部材本体に接合されガラスパネルの表裏に密接する一対の軟質保持部とから構成されている。軟質保持部は、ガラスパネルをガスケットに受け入れる際に、弾性変形可能な硬さを有した樹脂から形成されるとともに、ガラスパネルに密接する挟持片部およびシール片部を有している。そして、軟質保持部が弾性的に傾斜してガラスパネルに密接することにより、ガラスパネルに引き抜き力が作用しても外れにくく、安定したガラスパネルの取付状態を維持できるようになっている。
【０００３】
【特許文献１】
特開平９−２６８８４６号公報
【０００４】
【発明が解決しようとする課題】
しかしながら、特許文献１に記載のガスケットでは、ガラスパネルの四辺に沿った各ガスケットの端縁部が、それぞれ４５度に切断されて突き合わされており、部材本体のコ字形内部空間同士が連続して構成されている。このため、シール片部とガラスパネルの間から部材本体のコ字形内部空間に水が浸入した際に、ガラスパネルの縦辺に沿ったガスケット内に浸入した水は、コ字形内部空間内を流れ落ちた後に、突き合わせ部分を介して、下辺に沿ったガスケットの部材本体内部に流れ込んでしまい、ガスケット外部に即座に排出されない。
また、特許文献１に別実施形態として記載されたガスケット（同文献の図１５）において、ガスケットの部材本体底側に切れ目が設けられ、この切れ目部分で屈曲させながらガスケットがガラスパネルに取り付けられている。しかし、切れ目部分の内方側で縦辺および下辺のガスケットの部材本体同士は連続しているため、前述と同様に、縦辺のガスケット内部に浸入した水が下辺のガスケット内部に流れ込んでしまう。
【０００５】
以上のようにガラスパネルの下辺に沿ったガスケット内部に浸入した水は、部材本体底面に設けられた水抜き穴からガスケット外部に排出されるものの、ガラスパネルの端縁（木口）と部材本体の底面との接触面間に入り込んだ水は、蒸発せずにガスケット内に長時間滞留してしまうことになる。そして、ガラスパネルの木口に水が接触した状態が長時間に及ぶと、ガラスパネルが複層ガラスや合せガラスであれば、板ガラス間に介挿されたシール材や合せシートが劣化してしまう可能性がある。また、ガラスパネルが網入りガラスであれば、木口に接触した水により、ガラスパネル内の金網に錆びが発生する可能性がある。このため、ガラスパネルの下辺に沿ったガスケット内部に水が浸入しにくいガスケットが望まれている。
【０００６】
本発明の目的は、パネル材の縦辺に沿ったガスケット内部に浸入した水が下辺に沿ったガスケットに流れ込まず、ガスケット内部から即座に排出することができるガスケット、およびこれを備えた障子を提供することにある。
【０００７】
【課題を解決するための手段】
本発明のガスケットは、障子を構成する枠体とパネル材との間に介装され、前記パネル材の四周を囲んで配置されるとともに、前記枠体に装着されるガスケットであって、前記パネル材の縁部を受け入れ自在な凹溝部を形成する断面略コ字形のガスケット本体部と、前記ガスケット本体部の開口端部に沿って取り付けられ、前記パネル材の表裏面に密接して当該パネル材を保持する一対のパネル保持部とを備え、前記パネル材の縦辺および下辺に沿った当該ガスケットの接続位置において、縦辺および下辺に沿った前記パネル保持部は、互いの端縁同士を突き合わせて設けられ、縦辺に沿った前記ガスケット本体部の下端縁は、前記開口端部から前記障子の外周側に向かって下がる傾斜部を有して形成され、下辺に沿った前記ガスケット本体部の側端縁は、前記縦辺に沿ったガスケット本体部における開口端部の延長上から外側に突出しない位置に設けられていることを特徴とする。
【０００８】
このような本発明によれば、縦辺に沿ったガスケット本体部の下端縁が障子外周側に向かって下がる傾斜部を有しているので、縦辺のガスケット本体部内に水が浸入した場合でも、この水は下端縁の傾斜部に沿って、外側に流れることになる。さらに、下辺に沿ったガスケット本体部の側端縁が、前記縦辺に沿ったガスケット本体部における開口端部の延長上から外側に突出しない位置、すなわち、縦辺のガスケット本体部の下方に重ならない位置に設けられているので、縦辺のガスケット本体部内を流れ落ちてきた水が下辺のガスケット本体部内に浸入することがない。従って、縦辺に沿ったガスケット内部に浸入した水が下辺に沿ったガスケット内に流れ込まず、この水を即座にガスケット外部に排出することができる。
【０００９】
この際、本発明のガスケットでは、前記ガスケット本体部は、硬質な樹脂材料から形成され、前記パネル保持部は、軟質な樹脂材料から形成されており、前記ガスケット本体部と前記パネル保持部とは、溶着により一体に形成されていることが望ましい。
このような構成によれば、ガスケット本体部を硬質な樹脂から形成したことで、当該ガスケットの形状を保持しやすくできるとともに、パネル保持部を軟質な樹脂から形成したことでパネル材の表裏面との密接性を高めて、シール性を向上させることができる。また、ガスケット本体部およびパネル保持部を樹脂材料から形成したことで、互いに溶着により容易に一体化することができ、製造工程を単純化することができる。
【００１０】
また、本発明のガスケットでは、前記縦辺に沿ったガスケット本体部の下端縁における前記傾斜部は、前記パネル保持部の端縁同士の突き合わせ部分に連続して設けられ、前記下辺に沿ったガスケット本体部における側端縁の上端部は、前記突き合わせ部分に接して設けられていることが望ましい。
このような構成によれば、縦辺のガスケット本体部の傾斜部がパネル保持部の突き合わせ部分に連続して設けられているので、縦辺のガスケット本体部内に浸入した水のみならず、縦辺のパネル保持部内の水も、傾斜部に沿った水の流れによって外側に流すことができる。従って、縦辺のガスケット内に浸入した水が下辺のガスケット内に浸入することをさらに防止でき、この水をガスケット外部に排出することができる。
また、下辺のガスケット本体部における側端縁の上端部がパネル保持部の突き合わせ部分に接して設けられている、すなわち、縦辺、下辺両方のガスケット本体部の端縁がパネル保持部の突き合わせ部分に連続して設けられているので、パネル保持部がガスケット本体部から、その長手方向に突出することがない。従って、パネル保持部でパネル材を保持する保持力が低下せず、パネル保持部とパネル材との密接状態が良好に維持されるので、シール性を十分確保することができ、ガスケット内への水の浸入を防止することができる。特に、パネル保持部を軟質な樹脂材料から形成した場合には、パネル保持部がガスケット本体部から突出すると、突出部分がパネル材から剥がれてしまってシール性を確保できない等の不都合を生じることがあるため、ガスケット本体部の端縁がパネル保持部の突き合わせ部分に連続して設けられていることが、シール性確保のために有効である。
【００１１】
さらに、本発明のガスケットでは、前記ガスケット本体部の底面部には排水穴が形成されており、前記パネル材の下辺に沿ったガスケット本体部の底面部に形成された排水穴は、前記パネル材の上辺または縦辺に沿ったガスケット本体部の底面部に形成された排水穴よりも、開口面積が大きく設定されていることが望ましい。
このような構成によれば、万一、下辺のガスケット本体部に水が浸入した場合でも、この水を即座に排水穴からガスケット外部に排出することができる。また、下辺のガスケット本体部の底面部と、パネル材の木口との接触面積が小さくなることから、浸入した水が蒸発しやすくなって、長時間滞留することがなくなり、下辺のガスケット本体部内を早く乾かすことができる。
また、上辺および縦辺のガスケット本体部に設けられた排水穴は、下辺のガスケット本体部に設けられた排水穴開口面積が大きくないことから、上辺および縦辺においては、ガスケット本体部が下辺のガスケット本体部に比べて硬質樹脂の部分が多く、パネル材への挟持力を損なうことがない。
【００１２】
一方、本発明の障子は、上框、下框、および左右の縦框を四周框組して形成された枠体と、この枠体の内側に支持されるパネル材と、これらの枠体とパネル材との間に介装される前述したいずれかのガスケットとを備えて構成されたことを特徴とする。
このような本発明によれば、前記したいずれかのガスケットが有する作用効果と略同様の作用効果を奏するサッシを提供することができる。
【００１３】
この際、本発明の障子では、前記下框には、当該下框の内部を上下に仕切る支持面部が設けられ、この支持面部の上側に前記パネル材、および当該パネル材の下辺に沿った前記ガスケットが配置され、前記支持面部には、前記パネル材の縦辺に沿った前記ガスケットの下方位置に排水穴が形成されていることが望ましい。
このような構成によれば、縦辺に沿ったガスケットの下方位置に下框の排水穴を形成したことにより、縦辺のガスケット本体部から排出された水が、下框の排水穴を通して障子外部に即座に排出されるので、この水が障子の下框内に滞留することがなく、下辺のガスケット本体部内へ浸入するおそれがない。
【００１４】
【発明の実施の形態】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００１５】
〔第１実施形態〕
本発明の第１実施形態に係るガスケット１０、およびこのガスケット１０を備える障子１について、図１ないし図４に基づいて説明する。
図１は、本実施形態の障子１の要部を拡大して示す縦断面図である。図２は、障子１の一部を省略して示す正面図である。図３（Ａ），（Ｂ）は、障子１の作用を示す断面図、および正面図であり、図３（Ａ）は、図３（Ｂ）に矢視Ａ−Ａ線で示す断面図である。図４、５は、ガスケット１０の取付手順を示す正面図である。
【００１６】
障子１は、図１、２に示すように、それぞれアルミ押出形材製の上框３、下框４、および左右の縦框５を四周框組みして形成された略矩形状の枠体２と、この枠体２の内方に支持されたパネル材としてのガラスパネル６とを備えて構成されている。枠体２の上框３、下框４、縦框５には、それぞれ障子１の内方に向かって延出する２つの支持片部２１と、これらの支持片部２１に挟まれた支持溝部２２とが形成されている。そして、ガラスパネル６は、その四周を囲んで配置されたガスケット１０を介して、枠体２の支持溝部２２に支持されている。また、下框４の支持溝部２２内には、略水平な支持面部４１が形成されており、この支持面部４１上にはセッティングブロック４２が適宜な間隔で配置されている。ガラスパネル６は、セッティングブロック４２上に載置され、その重量が支持されるようになっている。
なお、支持面部４１は、略水平でなくてもよく、下框４の内部を上下に仕切るように形成したものであればよい。
【００１７】
ガラスパネル６は、対向する２枚の板ガラス６１と、これらの板ガラス６１の間に四周隙間なく介挿されるシール材６２およびスペーサ６３と、２枚の板ガラス６１の間に形成された空気層６４とから構成された複層ガラスである。シール材６２は、空気層６４への水の浸入を防止するために止水性に優れた材料から構成され、スペーサ６３は、板ガラス６１同士の間隔を保持するとともに、空気層６４中の湿気を吸収できる材料から構成されている。そして、空気層６４は、シール材６２で密閉されているため、ガラスパネル６は、断熱性に優れ、かつ結露しにくいものとなっている。
なお、パネル材としてのガラスパネル６は、複層ガラスに限らず、２枚の板ガラスの間に隙間なく合せシートが介挿された合せガラスでもよく、板ガラスの中に金網が入った網入りガラスでもよい。さらに、パネル材は、ガラス以外のアクリル板やアルミパネル等を備えて構成されていてもよい。
【００１８】
ガスケット１０は、図２に示すように、それぞれガラスパネル６の上辺、下辺、および左右の縦辺に沿って配置される上辺、下辺、および縦辺のガスケット１１，１２，１３で構成されている。そして、各ガスケット１１，１２，１３は、図１に示すような略同一の断面形状、および部材構成を有している。すなわち、各ガスケット１１，１２，１３は、硬質な樹脂製でガラスパネル６の縁部を受け入れ自在な凹溝部を形成する断面略コ字形のガスケット本体部１４と、このガスケット本体部１４の開口端部（図１中、上端部）に溶着された一対のパネル保持部１５とで構成されている。
【００１９】
ガスケット本体部１４は、ガラスパネル６の四周端面（木口）が当接する底面部１４１と、この底面部１４１の両側端縁からガラスパネル６の内方側に延出する２つの側面部１４２とを有して形成されている。パネル保持部１５は、軟質な樹脂製、例えばポリ塩化ビニル（ＰＶＣ）製であって、ガラスパネル６の表裏面に密接する外側および内側（図１中、上側および下側）のシール部１５１，１５２と、枠体２の支持片部２１先端（図１中、上端）に係止される係止部１５３とを有して形成されている。そして、ガスケット本体部１４の側面部１４２先端と、パネル保持部１５の係止部１５３との間に形成された凹溝で、枠体２の支持片部２１先端の支持溝部２２側に折れ曲がった部分を挟持することで、ガスケット１０が、枠体２に係止されるようになっている。
【００２０】
上辺、下辺、および縦辺の各ガスケット１１，１２，１３におけるガスケット本体部１４の底面部１４１（１１１，１２１，１３１）には、図２に示すように、排水穴１１２，１２２，１３２が形成されている。なお、図２において、ガスケット本体部１４の各底面部１１１，１２１，１３１は、障子１の枠体２の外側に、障子１の上方、下方、および左右両側方から見た図として示されている。そして、上辺、および縦辺の各ガスケット１１，１３において、底面部１１１，１３１の排水穴１１２，１３２は、円形で、かつ適宜な間隔で複数設けられている。また、下辺ガスケット１２において、底面部１２１の排水穴１２２は、下辺ガスケット１２の長手方向に沿って長い矩形状に形成されている。そして、下辺ガスケット１２における排水穴１２２の総開口面積は、底面部１２１の排水穴１２２以外の部分の総面積よりも大きくなっており、すなわち底面部１２１全体の面積の半分以上が排水穴１２２で開口されていることになる。一方、上辺および縦辺においては、それぞれの排水穴１１２，１３２の総開口面積は、それぞれの底面部１１１，１３１の排水穴１１２，１３２以外の部分の総面積よりも小さくなっている。
【００２１】
上辺と縦辺のガスケット１１，１３は、各々の長手方向に対して４５度の角度で切断された互いの端部同士（図４に示す、上辺ガスケット１１の側端縁１１３と縦辺ガスケット１３の上端縁１３３）を突き合わせて、接続されている。
縦辺、および下辺のガスケット１３，１２の端部は、図３に示すように、各々の長手方向に対して次のような切断角度α，βで切断されて、縦辺ガスケット１３の下端縁１３４、および下辺ガスケット１２の側端縁１２３が形成されている。すなわち、縦辺ガスケット１３の下端部において、ガスケット本体部１４およびパネル保持部１５は、切断角度αが４５度となるように一直線状に切断されて、下端縁１３４が形成されている。また、下辺ガスケット１２の端部において、パネル保持部１５は、ガスケットの長手方向に対して４５度で切断され、ガスケット本体部１４は、切断角度βが９０度となるように、すなわち垂直面で切断されて、側端縁１２３が形成されている。従って、縦辺、および下辺のガスケット１３，１２は、互いのパネル保持部１５同士が突き合わされ、かつ互いのガスケット本体部１４同士が上方で近接し、かつ下方に向かって開く間隔を介して配置されている。すなわち、縦辺ガスケット１３におけるガスケット本体部１４の下端縁１３４がパネル保持部１５の突き合わせ部分１５Ａに連続して設けられ、下辺ガスケット１２におけるガスケット本体部１４の側端縁１２３上端部がパネル保持部１５の突き合わせ部分１５Ａに接して設けられている。
【００２２】
具体的には、縦辺ガスケット１３におけるガスケット本体部１４の下端縁１３４は、障子１の見付け方向内方側（図３（Ｂ）中、上方右側）から外方側（図３（Ｂ）中、下方左側）に向かって、４５度の傾斜角度で下がるように形成されている。一方、下辺ガスケット１２におけるガスケット本体部１４の側端縁１２３は、上端が縦辺と下辺のパネル保持部１５端縁の突き合わせ部下端位置から鉛直下方に下がるように形成されている。これにより、縦辺のガスケット本体部１４の下方には、下辺のガスケット本体部１４が位置しないようになっている。従って、縦辺のガスケット１３におけるパネル保持部１５のシール部１５１，１５２とガラスパネル６との間からガスケット本体部１４に浸入し、ガスケット本体部１４内を流れ落ちた水は、図３（Ｂ）中破線の矢印で示すように、縦辺ガスケット１３の下端縁１３４に沿って障子１の見付け方向外方側に向かって流れるようになっている。さらに、縦辺のパネル保持部１５に沿って流れ落ちた水も突き合わせ部分１５Ａを介して、縦辺ガスケット１３の下端縁１３４に沿った水の流れに引っ張られて、障子１の外周側に流れることになる。
【００２３】
そして、下框４の支持面部４１において、縦辺ガスケット１３の下端縁１３４の外方側（図３中、左側）下方位置、すなわち、下端縁１３４を流れた水が滴下する位置には、排水穴４３が形成されている。これにより、縦辺ガスケット１３のガスケット本体部１４に浸入した水が、下端縁１３４に沿って流れ落ちて、下框４の排水穴４３から障子１の外部に排出されるようになっている。
【００２４】
以上のようなガスケット１０は、図４に示すように、ガラスパネル６の四周に取り付けられる。すなわち、上辺、および縦辺用の長尺部材を各辺に応じた長さ寸法に切断し、各々の端部を上述のように４５度に切断して、上辺、および縦辺のガスケット１１，１３を用意する。また、下辺用の部材の端部を上述のように切断して、下辺ガスケット１２を用意する。そして、これらの上辺、下辺、および縦辺の各ガスケット１１，１２，１３を、各々の端縁同士を突き合わせて、順次ガラスパネル６に取り付ける。すなわち、上辺ガスケット１１の側端縁１１３と縦辺ガスケット１３の上端縁１３３とを突き合わせ、下辺ガスケット１２の側端縁１２３と縦辺ガスケット１３の下端縁１３４とをパネル保持部１５同士を突き合わせて接続する。
【００２５】
また、ガスケット１０は、上述の取付手順に限らず、図５に示す手順で取り付けてもよい。すなわち、上辺、および縦辺用の長尺部材を切断してしまわず、ガスケット本体部１４の底面部１１１，１３１が連続し、各辺の長さ寸法に応じた位置のパネル保持部１５とガスケット本体部１４の側面部１４２とに４５度の切り込み１１４が設けられた状態の上辺、および縦辺のガスケット１１，１３を用意する。そして、一方の縦辺ガスケット１３から、上辺ガスケット１１、他方の縦辺ガスケット１３の順にガラスパネル６に取り付け、最後に下辺ガスケット１２をガラスパネル６に取り付け、端縁同士を接続する。
なお、上辺ガスケット１１、および２本の縦辺ガスケット１３が連続したものに限らず、上辺ガスケット１１と左右一方の縦辺ガスケット１３のみが連続し、他方の縦辺ガスケット１３はそれらと不連続としたものであってもよい。
【００２６】
そして、以上のように四周にガスケット１０を取り付けたガラスパネル６の四辺に対して、上框３、下框４、および左右の縦框５の支持溝部２２にガスケット１０を嵌め込み、これら各框３，４，５同士をビス止め固定して枠体２を形成して、障子１の組立が完了する。
【００２７】
このような本実施形態によれば、以下のような効果がある。
（１）  縦辺ガスケット１３内部に浸入した水が下辺ガスケット１２内に流れ込まず、この水を即座にガスケット１０外部に排出することができる。これにより、下辺ガスケット１２内部に水が滞留することがないので、下辺ガスケット１２のガスケット本体部１４の底面部１４１とガラスパネル６の木口との接触面に水が入り込みにくくなり、ガラスパネル６のシール材６２やスペーサ６３の劣化を防止することができる。
【００２８】
（２）  さらに、縦辺のガスケット本体部１４の下端縁１３４がパネル保持部１５の突き合わせ部分１５Ａに連続して設けられているので、縦辺のガスケット本体部１４内に浸入した水のみならず、縦辺のパネル保持部１５内の水も、下端縁１３４に沿った水の流れによって外側に流すことができる。従って、縦辺ガスケット１３内に浸入した水が下辺ガスケット１２内に浸入することをさらに防止でき、この水をガスケット１０外部に排出することができる。
【００２９】
（３）  また、下辺のガスケット本体部１４の側端縁１２３上端部がパネル保持部１５の突き合わせ部分１５Ａに接して設けられているので、パネル保持部１５がガスケット本体部１４から、その長手方向に突出することがない。従って、パネル保持部１５でガラスパネル６を保持する保持力が低下せず、パネル保持部１５とガラスパネル６との密接状態が良好に維持されるので、シール性を十分確保することができ、ガスケット１０内への水の浸入を防止することができる。
【００３０】
（４）  さらに、下辺ガスケット１２の底面部１２１に形成した排水穴１２２の開口面積を、上辺および縦辺のガスケット１１，１３の底面部１１１，１３１に形成した排水穴１１２，１３２の開口面積よりも大きくしたことで、万一、下辺ガスケット１２のガスケット本体部１４に水が浸入した場合でも、この水を即座に排水穴１２２から排出することができる。また、下辺ガスケット１２の底面部１２１と、ガラスパネル６の木口との接触面積が小さくなることから、浸入した水が蒸発しやすくなって、長時間滞留することがなくなり、ガスケット本体部１４内を早く乾かすことができる。
また、上辺および縦辺のガスケット本体部１４に設けられた排水穴１１２，１３２は、下辺のガスケット本体部１４に設けられた排水穴１２２ほど開口面積が大きくないことから、上辺および縦辺のガスケット本体部１４は、下辺のガスケット本体部１４に比べて硬質樹脂の部分が多く、ガラスパネル６への挟持力を損なうことがない。
【００３１】
（５）  また、縦辺ガスケット１３の下方位置において、下框４の支持面部４１に排水穴４３を設けたので、縦辺ガスケット１３から排出された水が、排水穴４３から即座に障子１外部に排出されるので、この水が障子１の下框４内に滞留することがなく、下辺のガスケット本体部１４内へ浸入するおそれがない。
【００３２】
（６）  また、ガスケット本体部１４を硬質な樹脂から形成したことで、ガスケット１０の形状を保持しやすくできるとともに、パネル保持部１５を軟質な樹脂から形成したことでガラスパネル６の表裏面との密接性を高めて、シール性を向上させることができる。さらに、ガスケット本体部１４およびパネル保持部１５を樹脂材料から形成したことで、互いに溶着により容易に一体化することができ、製造工程を単純化することができる。
【００３３】
なお、本発明は、前記実施形態に限定されるものではない。
例えば、下辺、および縦辺のガスケット１２，１３の接続部分における各ガスケット１２，１３端縁の切断角度α，βや形態は、前記実施形態で説明したものに限らず、切断角度αを９０度未満に設定し、切断角度βを９０度以上に設定した、以下の図６、７で説明する形態が採用できる。図６（Ａ），（Ｂ）、および図７（Ａ）〜（Ｃ）は、本発明の変形例に係るガスケット１０を示す正面図である。
【００３４】
図６において、ガスケット１０の縦辺ガスケット１３の構成は、前述の実施形態と同一であり、切断角度αが４５度となるように切断されて、下端縁１３４が形成されている。そして、下辺ガスケット１２の構成が前述の実施形態と異なっている。
図６（Ａ）に示す下辺ガスケット１２の端部において、パネル保持部１５は、ガスケットの長手方向に対して４５度で切断されて、縦辺のパネル保持部１５に突き合わされている。下辺ガスケット１２のガスケット本体部１４は、切断角度βが９０度を超える角度となるように切断されて、側端縁１２３が形成されている。すなわち、下辺ガスケット１２の側端縁１２３は、縦辺ガスケット１３の下端縁１３４に対して、下方に向かって離れるように形成され、前述の実施形態に比べて、下端位置での間隔がより大きく開くようになっている。このような構成とすることで、縦辺ガスケット１３のガスケット本体部１４内を流れ落ちた水が、下辺ガスケット１２内に流入しにくくなり、縦辺ガスケット１３の下端縁１３４からの排水をよりスムーズに行うことができる。
【００３５】
図６（Ｂ）に示す下辺ガスケット１２において、パネル保持部１５およびガスケット本体部１４の端部の切断角度βは、前述の実施形態と同様に９０度とされており、ガスケット本体部１４に形成される排水穴１２２Ａの形態が前述の実施形態と異なっている。すなわち、排水穴１２２Ａは、ガスケット本体部１４の底面部１４１から側面部１４２まで連続して形成されている。このような構成とすることで、縦辺ガスケット１３のガスケット本体部１４内を流れ落ちた水が、万一、下辺ガスケット１２内に流入したとしても、この水を大きな排水穴１２２Ａから即座に排水させることができる。
【００３６】
図７において、ガスケット１０の下辺ガスケット１２の構成は、前述の実施形態と同一であり、切断角度βが９０度となるように切断されて、側端縁１２３が形成されている。そして、縦辺ガスケット１３の下端縁１３４の形態が前述の実施形態と異なっている。すなわち、縦辺ガスケット１３におけるガスケット本体部１４の下端縁１３４は、それぞれ障子１の内方側（図７中、上方右側）から外方側（図７中、下方左側）に向かって、下がる傾斜部と、略水平な水平部とを有して形成されている。
【００３７】
図７（Ａ）に示す下端縁１３４は、傾斜部の切断角度αが４５度となるように切断され、ガスケット本体部１４の見付け幅の略中間位置で傾斜部と水平部とが交差するように形成されている。
図７（Ｂ）に示す下端縁１３４は、傾斜部の切断角度αが図７（Ａ）の場合より大きく、すなわち４５度より大きく、かつ９０度未満の角度となるように切断されている。
図７（Ｃ）に示す下端縁１３４は、図７（Ｂ）と同様に傾斜部の切断角度αが４５度より大きく、かつ９０度未満の角度となるように切断されている。さらに、縦辺のガスケット本体部１４の側面部１４２先端縁が、下辺ガスケット１２の側端縁１２３に沿って下方に延びて形成されている。すなわち、縦辺ガスケット１３におけるガスケット本体部１４の下端縁１３４は、パネル保持部１５の端縁の突き合わせ面を越える位置に設けられ、縦辺のガスケット本体部１４がパネル保持部１５よりも長く形成されている。
以上のような構成としても、縦辺ガスケット１３のガスケット本体部１４内を流れ落ちた水は、縦辺の下端縁１３４水平部から下方に流れ落ちるので、前述の実施形態と同様に、下辺ガスケット１２内に水が流入しにくくすることができる。
【００３８】
また、前記実施形態では、ガスケット１０を硬質な樹脂製のガスケット本体部１４と軟質な樹脂製のパネル保持部１５から構成したが、これらの材質は特に限定されない。すなわち、ガスケット本体部をアルミ等の金属材料から構成してもよく、また、ガスケット本体部およびパネル保持部を共通の樹脂材料から構成してもよい。
【００３９】
【発明の効果】
以上に述べたように、本発明のガスケット、およびこれを備えた障子によれば、パネル材の縦辺に沿ったガスケット内部に浸入した水が下辺に沿ったガスケットに流れ込まず、ガスケット内部から即座に排出することができるという効果がある。
【図面の簡単な説明】
【図１】本発明の第１実施形態に係る障子の要部を拡大して示す縦断面図である。
【図２】前記障子の一部を省略して示す正面図である。
【図３】（Ａ），（Ｂ）は、前記障子の作用を示す断面図、および正面図である。
【図４】前記障子におけるガスケットの取付手順を示す正面図である。
【図５】前記障子における図４とは異なるガスケットの取付手順を示す正面図である。
【図６】（Ａ），（Ｂ）は、本発明の変形例に係るガスケットを示す正面図である。
【図７】（Ａ）〜（Ｃ）は、本発明の変形例に係るガスケットを示す正面図である。
【符号の説明】
１…障子、２…枠体、３…上框、４…下框、５…縦框、６…パネル材であるガラスパネル、１０…ガスケット、１１…上辺ガスケット、１２…下辺ガスケット、１３…縦辺ガスケット、１４…ガスケット本体部、１５…パネル保持部、４１…支持面部、４２…排水穴、１１１，１２１，１３１，１４１…底面部、１１２，１２２，１３２…排水穴、１２３…側端縁、１３４…下端縁。
【図１】
2005030037.tif 000003
【図２】
2005030037.tif 000004
【図３】
2005030037.tif 000005
【図４】
2005030037.tif 000006
【図５】
2005030037.tif 000007
【図６】
2005030037.tif 000008
【図７】
2005030037.tif 000009